【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
ケーブル媒体を形成するための方法であって、
ａ） 導体と該導体を囲繞する絶縁カバーとをそれぞれが有する第１及び第２の導電部材を含む線対を備えること、
ｂ） 該第１及び第２の導電部材を互いに巻き付けて撚線対を形成することを含み、該撚線対は、その長さに沿って意識的に変えられた撚り長さを有し、
線対撚り調整装置を使用して前記線対に意識的に変えられた仮撚りを与えること、
前記線対撚り調整装置の下流側にある線対撚り装置を使用して前記線対に追加的な撚りを与えることを含む、
方法。
【請求項２】
前記線対撚り調整装置により与えられる前記仮撚りは、前記撚線対の名目撚り長さの少なくとも０.５％の絶対範囲にわたり変えられた、請求項１に記載の方法。
【請求項３】
前記線対に正撚り及び負撚りの各々を与えることを含む、請求項１に記載の方法。
【請求項４】
前記線対を係合部材に係合させること、及び該係合部材を撚り軸線の回りに回転振動させることを含む、請求項１に記載の方法。
【請求項５】
前記線対を直列に配置された複数の係合部材に係合させること、及び該係合部材の各々をそれぞれの撚り軸線の回りに回転振動させることを含む、請求項４に記載の方法。
【請求項６】
前記係合部材の各々を異なる角距離で回転振動させることを含む、請求項５に記載の方法。
【請求項７】
前記線対撚り装置を使用して前記線対に単位長さ当り実質的に一定の撚り率を与える、請求項１に記載の方法。
【請求項８】
前記線対の前記撚り長さを実質的にランダムに変えることを含む、請求項１に記載の方法。
【請求項９】
前記線対の前記撚り長さをアルゴリズムに基づいて変えることを含む、請求項１に記載の方法。
【請求項１０】
第１の撚線対及び第２の撚線対を互いに巻き付けて撚りコアを形成することを更に含み、該撚りコアの撚り長さが該撚りコアの長さに沿って意識的に変化させている、請求項１に記載の方法。
【請求項１１】
ａ） コア撚り調整装置を使用して前記第１の撚線対及び前記第２の撚線対に意識的に変えられた仮撚りを与えること、
ｂ） 前記コア撚り調整装置の下流側にあるコア撚り装置を使用して前記第１の撚線対及び前記第２の撚線対に追加の撚りを与えることを含む、
請求項１０に記載の方法。
【請求項１２】
前記コア撚り装置を使用して前記第１の撚線対及び前記第２の撚線対に実質的に一定の率の単位長さ当りの撚りを与えることを含む、請求項１１に記載の方法。
【請求項１３】
前記撚線対の周りにジャケットを取り付けることを含む、請求項１に記載の方法。
【請求項１４】
ケーブル媒体を形成するための方法であって、
ａ） 導体と該導体を囲繞する絶縁カバーとをそれぞれが有する第１及び第２の導電部材を含む第１の撚線対と、導体と該導体を囲繞する絶縁カバーとをそれぞれが有する第３及び第４の導電部材を含む第２の撚線対とを用意すること、
ｂ） 前記第１及び第２の撚線対を互いに巻き付けて撚りコアを形成することを含み、該撚りコアは、その長さに沿って意識的に変えられる撚り長さを有し、
コア撚り調整装置を使用して前記第１の撚線対及び前記第２の撚線対に意識的に変わる仮撚りを与えること、
前記コア撚り調整装置の下流側にあるコア撚り装置を使用して前記第１の撚線対及び前記第２の撚線対に追加の撚りを与えることを含む、
方法。
【請求項１５】
前記コア撚り調整装置により前記第１の撚線対及び前記第２の撚線対に与えられる前記仮撚りは、少なくとも０.１撚り/インチの絶対範囲にわたり変えられる、請求項１４に記載の方法。
【請求項１６】
前記第１の撚線対及び前記第２の撚線対に正撚り及び負撚りの各々を与えることを含む、請求項１４に記載の方法。
【請求項１７】
前記第１の撚線対及び前記第２の撚線対を係合部材に係合させること、及び該係合部材を撚り軸線の回りに回転振動させることを含む、請求項１４に記載の方法。
【請求項１８】
前記第１の撚線対及び前記第２の撚線対を直列に配置された複数の係合部材に係合させること、及び該係合部材の各々をそれぞれの撚り軸線の回りに回転振動させることを含む、請求項１７に記載の方法。
【請求項１９】
前記係合部材の各々を異なる角距離で回転振動させることを含む、請求項１８に記載の方法。
【請求項２０】
前記コア撚り装置を使用して前記第１の撚線対及び前記第２の撚線対に単位長さ当り実質的に一定の撚り率を与える、請求項１４に記載の方法。
【請求項２１】
前記コアの前記撚り長さを実質的にランダムに変えることを含む、請求項１４に記載の方法。
【請求項２２】
前記コアの前記撚り長さをアルゴリズムに基づいて変えることを含む、請求項１４に記載の方法。
【請求項２３】
前記撚りコアの周りにジャケットを取り付けることを含む、請求項１４に記載の方法。
【請求項２４】
導体と該導体を囲繞する絶縁カバーとをそれぞれが有する第１及び第２の導電部材を含む線対を使用して、ケーブル媒体を形成するための装置であって、該装置は、前記第１及び前記第２の導電部材を互いに巻き付けて撚線対を形成するように適応しており、該撚線対は、その長さに沿って意識的に変えられる撚り長さを有し、
意識的に変えられた仮撚りを前記線対に与えるように適応した線対撚り調整装置と、
前記線対撚り調整装置の下流側にあって、前記線対に追加の撚りを与えるように適応した線対撚り装置とを含む、
装置。
【請求項２５】
前記線対撚り調整装置により与えられる前記仮撚りは、前記撚線対の名目撚り長さの少なくとも０.５％の絶対範囲にわたり変化する、請求項２４に記載の装置。
【請求項２６】
前記線対撚り調整装置は、前記線対に正撚り及び負撚りの各々を与えるように適応している、請求項２４に記載の装置。
【請求項２７】
前記線対に係合し撚り軸線の回りに回転振動させるように適応した係合部材を含む、請求項２４に記載の装置。
【請求項２８】
前記係合部材は、前記第１及び前記第２の導電部材を受け入れる少なくとも１つのアイレットを含む、請求項２７に記載の装置。
【請求項２９】
前記第１の導電部材を受け入れる第１のアイレットと、前記第２の導電部材を受け入れる第２のアイレットとを含む、請求項２７に記載の装置。
【請求項３０】
前記線対に係合し撚り軸線の回りに回転振動させるようにそれぞれ適応した、直列に配置された複数の係合部材を含む、請求項２７に記載の装置。
【請求項３１】
前記線対撚り調整装置は、異なる距離、前記複数の係合部材を回転振動させるように適応している、請求項３０に記載の装置。
【請求項３２】
前記線対撚り装置は、前記線対に単位長さ当り実質的に一定の撚り率を与えるように適応している、請求項２４に記載の装置。
【請求項３３】
前記線対の前記撚り長さを実質的にランダムに変えるコントローラを含む、請求項２４に記載の装置。
【請求項３４】
前記線対の前記撚り長さをアルゴリズムに基づいて変えるコントローラを含む、請求項２４に記載の装置。
【請求項３５】
前記第１及び前記第２の導電部材の供給源を含んでいる、請求項２４に記載の装置。
【請求項３６】
第１の前記撚線対及び第２の撚線対を互いに巻き付けて撚りコアを形成するように更に適応しており、前記撚りコアの撚り長さが該撚りコアの長さに沿って意識的に変えられている、請求項２４に記載の装置。
【請求項３７】
ａ） 前記第１及び前記第２の撚線対に意識的に変えられた仮撚りを与えるように適応したコア撚り調整装置と、
ｂ） 前記第１及び前記第２の撚線対に追加の撚りを与えるように適応した、前記コア撚り調整装置の下流側にあるコア撚り装置とを含む、
請求項３６に記載の装置。
【請求項３８】
前記コア撚り装置は、前記第１及び前記第２の撚線対に単位長さ当り実質的に一定の撚り率を与えるように適応している、請求項３７に記載の装置。
【請求項３９】
前記撚線対の周りにジャケットを取り付けるように適応したジャケット付け装置を含んでいる、請求項２４に記載の装置。
【請求項４０】
前記第１及び前記第２の撚線対を互いに巻き付けて撚りコアを形成するように更に適応しており、該撚りコアは、その長さに沿って意識的に変わる撚り長さを有している、請求項２６に記載の装置であって、更に、
ａ） 意識的に変えられた仮撚りを前記線対に与えるように適応していると共に、前記線対に係合して撚り軸線の周りに回転振動させるようになっている係合部材、及び該係合部材の振動を制御するコントローラを含む、線対撚り調整装置と、
ｂ） 該線対撚り調整装置の下流側にあり、前記線対に追加の撚りを与えるように適応していると共に、前記線対に単位長さ当り実質的に一定の撚り率を与えるように適応している線対撚り装置と、
ｃ） 前記第１及び前記第２の撚線対に意識的変えられた仮撚りを与えるように適応しているコア撚り調整装置と、
ｄ） 該コア撚り調整装置の下流側にあり、前記第１及び前記第２の撚線対に追加の撚りを与えるように適応していると共に、前記第１及び前記第２の撚線対に単位長さ当り実質的に一定の撚り率を与えるように適応しているコア撚り装置とを含む、
請求項２４に記載の装置。
【請求項４１】
導体と該導体を囲繞する絶縁カバーとをそれぞれが有する第１及び第２の導電部材を含む第１の撚線対、並びに導体と該導体を囲繞する絶縁カバーとをそれぞれが有する第３及び第４の導電部材を含む第２の撚線対を使用して、ケーブル媒体を形成するための装置であって、該装置は、前記第１及び前記第２の撚線対を互いに巻き付けて撚りコアを形成するように適応しており、該撚りコアは、その長さに沿って意識的に変えられる撚り長さを有し、
意識的に変えられた仮撚りを前記第１及び前記第２の撚線対に与えるように適応したコア撚り調整装置と、
前記コア撚り調整装置の下流側にあって、前記第１及び前記第２の撚線対に追加の撚りを与えるように適応したコア撚り装置とを含む、
装置。
【請求項４２】
前記コア撚り調整装置により前記第１及び前記第２の撚線対に与えられる前記仮撚りは、少なくとも０.１撚り/インチの絶対範囲にわたり変化する、請求項４１に記載の装置。
【請求項４３】
前記コア撚り調整装置は、前記第１及び前記第２の撚線対に正撚り及び負撚りの各々を与えるように適応している、請求項４１に記載の装置。
【請求項４４】
前記第１及び前記第２の撚線対に係合し撚り軸線の周りに回転振動させるように適応した係合部材を含む、請求項４１に記載の装置。
【請求項４５】
前記係合部材は、前記第１及び前記第２の撚線対を受け入れる少なくとも１つのアイレットを含む、請求項４４に記載の装置。
【請求項４６】
前記第１の撚線対を受け入れる第１のアイレットと、前記第２の撚線対を受け入れる第２のアイレットとを含む、請求項４４に記載の装置。
【請求項４７】
前記第１及び前記第２の撚線対に係合し各撚り軸線の周りに回転振動させるようにそれぞれ適応した、直列に配置された複数の係合部材を含む、請求項４４に記載の装置。
【請求項４８】
前記コア撚り調整装置は、異なる角距離、前記複数の係合部材を回転振動させるように適応している、請求項４７に記載の装置。
【請求項４９】
前記コア撚り装置は、前記第１及び前記第２の撚線対に単位長さ当り実質的に一定の撚り率を与えるように適応している、請求項４１に記載の装置。
【請求項５０】
前記コアの前記撚り長さを実質的にランダムに変えるコントローラを含む、請求項４１に記載の装置。
【請求項５１】
前記コアの前記撚り長さをアルゴリズムに基づいて変えるコントローラを含む、請求項４１に記載の装置。
【請求項５２】
前記第１及び前記第２の撚線対の供給源を含んでいる、請求項４１に記載の装置。
【請求項５３】
前記撚合せコアの周りにジャケットを取り付けるように適応したジャケット付け装置を含んでいる、請求項４１に記載の装置。
【請求項５４】
導体と該導体を囲繞する絶縁カバーとをそれぞれが有する第１及び第２の導電部材を含む線対を使用して、ケーブル媒体を形成するための線対撚り調整装置であって、該線対撚り調整装置は、前記線対に意識的に変えられる撚りを与えるように適応している、線対撚り調整装置。
【請求項５５】
前記線対に係合し撚り軸線の周りに回転振動させるように適応した係合部材を含む、請求項５４に記載の線対撚り調整装置。
【請求項５６】
導体と該導体を囲繞する絶縁カバーとをそれぞれが有する第１及び第２の導電部材を含む第１の撚線対、並びに導体と該導体を囲繞する絶縁カバーとをそれぞれが有する第３及び第４の導電部材を含む第２の撚線対を使用して、ケーブル媒体を形成するためのコア撚り調整装置であって、該コア撚り調整装置は、前記第１及び前記第２の撚線対に意識的に変えられる撚りを与えるように適応している、コア撚り調整装置。
【請求項５７】
前記第１及び前記第２の撚線対に係合し撚り軸線の回りに回転振動させるように適応した係合部材を含む、請求項５６に記載のコア撚り調整装置。
【請求項５８】
ケーブル媒体を形成するための方法であって、
導体と該導体を囲繞する絶縁カバーとをそれぞれが有する第１及び第２の導電部材を含む線対を備えること、
該第１及び第２の導電部材を互いに巻き付けて撚線対を形成することを含み、該撚線対は、その長さに沿って意識的に変えられた撚り長さを有し、
前記撚り長さは、前記撚線対の名目撚り長さの少なくとも０.５％の絶対範囲にわたり意識的に変えられる、方法。
【請求項５９】
前記撚り長さは前記撚線対の名目撚り長さの１〜５％の絶対範囲にわたり意識的に変えられる、請求項５８に記載の方法。
【請求項６０】
ケーブル媒体を形成するための方法であって、
導体と該導体を囲繞する絶縁カバーとをそれぞれが有する第１及び第２の導電部材を含む第１の撚線対と、導体と該導体を囲繞する絶縁カバーとをそれぞれが有する第３及び第４の導電部材を含む第２の撚線対とを用意すること、
前記第１及び第２の撚線対を互いに巻き付けて撚りコアを形成することを含み、該撚りコアは、その長さに沿って意識的に変えられる撚り長さを有し、
前記撚りコアの前記撚り長さは、０.１〜１.０撚り/インチの絶対範囲にわたり意識的に変えられる、方法。
【請求項６１】
ケーブル媒体を形成するための方法であって、
導体と該導体を囲繞する絶縁カバーとをそれぞれが有する第１及び第２の導電部材を含む第１の撚線対と、導体と該導体を囲繞する絶縁カバーとをそれぞれが有する第３及び第４の導電部材を含む第２の撚線対とを用意すること、
前記第１及び第２の撚線対を互いに巻き付けて撚りコアを形成することを含み、該撚りコアは、その長さに沿って意識的に変えられる撚り長さを有し、
前記撚りコアの前記撚り長さは、前記撚りコアの平均撚り率の少なくとも０.５％の範囲にわたり意識的に変えられる、方法。
【請求項６２】
前記撚りコアの前記撚り長さは前記撚りコアの前記平均撚り率の１〜１０％の範囲にわたり意識的に変えられる、請求項６１に記載の方法。
【請求項６３】
ケーブル媒体を形成するための方法であって、
導体と該導体を囲繞する絶縁カバーとをそれぞれが有する第１及び第２の導電部材を含む第１の撚線対と、導体と該導体を囲繞する絶縁カバーとをそれぞれが有する第３及び第４の導電部材を含む第２の撚線対とを用意すること、
前記第１及び第２の撚線対を互いに巻き付けて撚りコアを形成することを含み、該撚りコアは、その長さに沿って意識的に変えられる撚り長さを有し、前記ケーブル媒体の前記撚りコアは１つの方向のみに巻き付けられている、
方法。